(57)【要約】【課題】エルボ本体内に流入する雨水の量に関わらず確実に雨水を整流でき、且つ排水効率の高い樋エルボを提供する。【解決手段】横樋部材の下流側端部に接続される上流側接続口部４及び縦樋部材の上流側端部に接続される下流側接続口部５を有する曲げ管状のエルボ本体２を備える。該エルボ本体２の横管部６内の幅方向の中間に横管部６の上下両端に至る板状の整流板３を設ける。該整流板３を横管部６の軸方向に沿わせる。【選択図】        図１
2005016134.tif 000002
【特許請求の範囲】
【請求項１】
横樋部材の下流側端部に接続される上流側接続口部及び縦樋部材の上流側端部に接続される下流側接続口部を有する曲げ管状のエルボ本体を備え、該エルボ本体の横管部の内部の幅方向の中間に横管部の上下両端に至る板状の整流板を設け、該整流板を横管部の軸方向に沿わせてなることを特徴とする樋エルボ。
【発明の詳細な説明】
【０００１】
【発明の属する技術分野】
本発明は横樋部材の下流側端部と、縦樋部材の上流側端部とを接続する樋エルボに関する。
【０００２】
【従来の技術】
従来から一般住宅において、呼び樋や這い樋等の横方向に雨水を流す横樋部材の下流側端部と、縦樋等の縦方向に雨水を流す縦樋部材の上流側端部とを連通させる樋エルボが知られており、該樋エルボは、横樋部材の下流側端部に接続される上流側接続口部及び縦樋部材の上流側端部に接続される下流側接続口部を有する曲げ管状のエルボ本体を備えている。
【０００３】
ところでこの種の樋エルボは、雨水がエルボ本体の内部に流れている時にエルボ本体の曲げ管部で真空状態となってしまうため、エルボ本体での雨水の流れが乱れてしまい、結果、雨水のスムーズな排水が妨げられて排水効率が低下するという問題がある。
【０００４】
そこで上記問題を改善するために例えば以下に示す樋エルボを利用することが考えられる。即ち該樋エルボは、縦樋部材の下流側端部に接続される上流側接続口部及び横樋部材の上流側端部に下流側接続口部を有する曲げ管状のエルボ本体を備え、該エルボ本体の曲げ管部の内部における出隅側の内壁面に雨水の流れる方向と略平行な整流板をその先端が曲げ管部の内部の略中間に位置するように突設したものであって（例えば特許文献１）、この樋エルボのエルボ本体を曲げ管部の出隅側が上方に位置するように反転させ、該エルボ本体の上流側接続口部を横樋部材の下流側端部に接続すると共に下流側接続口部を縦樋部材の上流側端部に接続し、曲げ管部の内部に設けた整流板を横樋部材からエルボ本体の内部に流入する雨水の流れる方向と略平行に配すると共に該整流板をエルボ本体を反転した状態における曲げ管部の内部の上面（出隅部分側の壁面）から上下方向の略中間にまで至るように配し、これにより横樋部材から流れてくる雨水を曲げ管部の内部の上部に設けた整流板にて整流して排水効率を高めるのである。
【０００５】
しかしながら上記整流板はエルボ本体の曲げ管部の内部に配されているため、曲げ管部に至るまでの雨水が整流されず、排水効率を殆ど向上することのできない。さらには上記整流板は曲げ管部の内部の上部にのみ配されており、下部には配されていないため、整流板による整流作用が小さく、特にこの場合エルボ本体内に少量の雨水しか流れない場合には整流板によって雨水を殆ど整流することができず、この点からも排水効率を殆ど向上することができない。
【０００６】
また上記とは別に、横樋部材の下流側端部に接続される上流側接続口部及び縦樋部材の上流側端部に接続される下流側接続口部を有する曲げ管状のエルボ本体を備え、該エルボ本体の曲げ管部の内部に雨水の流れる方向と直交する上下方向に伸びる邪魔板を設け、該邪魔板により横樋部材から流れてきた雨水を整流する樋エルボも知られているが、このものも邪魔板がエルボ本体の曲げ管部内に配されているため曲げ管部に至るまでの雨水を整流することができず、しかも該邪魔板は雨水の流れる方向と直交しているため、横樋部材から流れてきた雨水が邪魔板に当たってしまい、これにより邪魔板によって雨水の流れが阻害されてしまい、より一層排水効率が低下してしまう（例えば特許文献２）。
【０００７】
【特許文献１】
特開平７−１１３３０１号公報
【特許文献２】
特開平７−１２７２０３号公報
【０００８】
【発明が解決しようとする課題】
本発明は上記の点に鑑みてなされたものでありその目的とするところは、雨水をスムーズに排水できて排水効率を向上した樋エルボを提供することにある。
【０００９】
【課題を解決するための手段】
上記課題を解決するために本発明に係る樋エルボは、横樋部材の下流側端部に接続される上流側接続口部４及び縦樋部材の上流側端部に接続される下流側接続口部５を有する曲げ管状のエルボ本体２を備え、該エルボ本体２の横管部６内の幅方向の中間に横管部６の上下両端に至る板状の整流板３を設け、該整流板３を横管部６の軸方向に沿わせてなることを特徴とするものである。
【００１０】
このようにエルボ本体２の横管部６内の幅方向の中間に横管部６の上下両端に至る板状の整流板３を設け、該整流板３を横管部６の軸方向に沿わせることで、該横管部６内に設けた整流板３にて横管部６内で雨水を整流板３の両外側に分散して整流でき、これにより雨水の流れが曲げ管部７で乱れる前に確実に整流でき、さらには該整流板３を横管部６の上下両端に至らせることで、該整流板３により横管部６内の上下方向の全てを流れる雨水を整流することができ、これによりエルボ本体２内を流れる雨水の量に関わらず確実に雨水を整流することができ、さらには該整流板３を横管部６の軸方向に沿わせることで、整流板３により雨水の流れが阻害されることなく、エルボ本体２内における雨水の流れを抵抗なくスムーズにでき、上記により雨水をスムーズに排水できて排水効率を向上した樋エルボ１を提供できる。
【００１１】
【発明の実施の形態】
以下本発明を添付図面に示す実施形態に基づいて説明する。図１及び図２に示す樋エルボ１は断面略矩形枠状の角型の横樋部材（図示せず）の下流側端部と、同じく断面略矩形枠状の角型の縦樋部材（図示せず）の上流側端部とを連通させる所謂角型樋エルボである。該樋エルボ１は直角に屈曲させた曲げ管状のエルボ本体２で主体を構成してあり、該エルボ本体２は、図２（ａ）に示すように、曲げ管部７と、曲げ管部７の下流側の縦管部８と、曲げ管部７の上流側の内部に曲げられた部分のない真っ直ぐな流路を有する横管部６と、からなる。
【００１２】
エルボ本体２の上流側端部となる横管部６の上流側端部には横樋部材の下流側端部に接続される上流側接続口部４を形成してあり、エルボ本体２の下流側端部となる縦管部８の下流側端部には縦樋部材の上流側端部に接続される下流側接続口部５を形成している。
【００１３】
具体的には上記エルボ本体２は、直角に屈曲させた曲げ管状部材１１と、係止リング部材１２とからなる。
【００１４】
曲げ管状部材１１の上流側端部にはエルボ本体２の上流側接続口部４となる断面略矩形枠状の角型開口部１３を形成してあり、下流側端部には断面略円環状の丸型開口部１１ｂを形成している。丸型開口部１１ｂには被嵌合部を形成してあり、該被嵌合部は丸型開口部１１ｂの外周面に形成した凹部１３である。そして本実施形態では、曲げ管状部材１１のコーナー管部１４をエルボ本体２の曲げ管部７とし、曲げ管状部材１１の上流側の横ストレート管部１５をエルボ本体２の横管部６としている。またこの横管部６の両側壁６ａ、６ａの外面の上下方向中央部には横管部６の下流側端部から後方向（横管部６の内部の雨水が流れる方向）に伸びる凹溝９、９を形成してあり、該凹溝９は横樋部材の下流側端部の内面に形成した突部が嵌合するものである。
【００１５】
係止リング部材１２の上流側端部には断面略円環状の丸型開口部１２ａを形成してあり、下流側端部にはエルボ本体２の下流側接続口部となる断面略矩形枠状の角型開口部１２ｂを形成している。丸型開口部１２ａには前述した被嵌合部に回動自在に嵌合される嵌合部が形成されており、該嵌合部は丸型開口部１２ａの内周面に形成した突部１４である。本実施形態では上記曲げ管状部材１１のコーナー管部１４よりも下流側の部分と、係止リング部材１２とで縦管部８を形成している。またこの縦管部８の外周面には下方に開口する凹溝１０を形成してあり、該凹溝１０は縦樋部材の下流側端部が嵌合するものである。
【００１６】
そして上記曲げ管状部材１１の被嵌合部（凹部１３）に係止リング部材１２の嵌合部（突部１４）を回動自在に嵌合することで、曲げ管状部材１１の下流側端部と係止リング部材１２の上流側端部とが回動自在に接続され、これにより曲げ管状部材１１と、係止リング部材１２とでエルボ本体２が形成される。
【００１７】
上記エルボ本体２の横管部６の内部における図１の矢印イに示す幅方向（即ち樋エルボ２を横樋部材側から見た左右方向）の中間には横管部６の上下両端に至る板状の整流板３を設けてあり、該整流板３は横管部６の軸方向に沿っており、雨水の流れ方向と平行である。詳述すると整流板３はエルボ本体２と一体（詳しくはエルボ本体２の曲げ管状部材１１と一体）に形成してあり、該整流板は横管部６の内部の下流側端部に設けている。なお、本実施形態では整流板３を横管部６内の下流側端部に設けたが、整流板３を横管部６内の上流側端部である上流側接続口部４近傍もしくは上流側接続口部４や、中間部に設けても良く、さらには横管部６の内部及び曲げ管部７の内部、又は横管部６の内部及び曲げ管部７の内部及び縦管部８の内部に雨水の流れ方向と平行な整流版３を設けても良く、つまり整流板３は少なくとも曲げ管部７よりもに設けてあれば良いものとする。
【００１８】
そして横樋部材の突部１４を横管部６の凹溝９に嵌合すると共に、縦樋部材の下流側端部を縦管部８の凹溝１０に嵌合することで、上記エルボ本体２の上流側接続口部４を横樋部材の下流側端部に接続すると共に、エルボ本体２の下流側接続口部５を縦樋部材の上流側端部に接続し、これにより樋エルボ１で横樋部材と縦樋部材とが連通接続される。
【００１９】
上記のように樋エルボ１を接続することで、横樋部材の内部を横方向に流下する雨水は縦樋部材の上流側接続口部４からエルボ本体２の横管部６の内部に流入し、この後、曲げ管部７の内部に至る前に横管部６の内部で前述した整流板３により幅方向の両外側に分散された後、該整流板３にて整流され、次いでこの整流された雨水が曲げ管部７の内部に流入して、曲げ管部７の内部、縦管部８の内部を順に通った後、エルボ本体２の下流側接続口部４から縦樋部材の内部に流入することとなり、これにより樋エルボ１のエルボ本体２にて横樋部材から横方向に流れてくる雨水を縦方向の流れにして縦樋部材に排水することが可能となる。
【００２０】
ここで横管部６の内部の幅方向の中間に横管部６の上下両端に至る板状の整流板３を設け、該整流板３を横管部６の軸方向に沿わせたのは以下の理由による。即ち整流板３を横管部６内に設けることで、エルボ本体２の曲げ管部７内に至る前に横管部６内で雨水を整流板３の両外側に分散して整流でき、これにより雨水の流れが曲げ管部７で乱れる前に確実に整流でき、またこの整流板３は横管部６の上下両端に至らせているため、該整流板３により横管部６内の上下方向の全てを流れる雨水を整流することができ、これによりエルボ本体２内に少量の雨水しか流れない場合も、またエルボ本体２内に大量の雨水が流れる場合も共に整流板３により確実に雨水を整流することができ、さらには該整流板３を横管部６の軸方向に沿わせることで、整流板３により雨水の流れが阻害されることなく、エルボ本体２内における雨水の流れを抵抗なくスムーズにでき、上記により雨水をスムーズに排水できて排水効率を向上することができるのである。
【００２１】
またエルボ本体２を、曲げ管状部材１１と、該曲げ管状部材１１の下流側端部に回動自在に接続される係止リング部材１２とで構成したのは、縦樋部材の向きを、縦樋部材の接続前又は縦樋部材接続後に係止リング部材１２を曲げ環状部材１１に対して回動させることにより自在に調整できるからである。
【００２２】
なお上記樋エルボ２は前述したように角型樋エルボ２としたが、樋エルボ２としてはこれに限定されるものではなく、例えば丸型の雨樋同士を接続する丸型の樋エルボであっても良いものとする。また上記エルボ本体２は曲げ管状部材１１と係止リング１２との２つの部材で構成したが、１つの部材で構成してあっても良いものとする。
【００２３】
【発明の効果】
以上説明したように本発明の樋エルボは、雨水をスムーズに排水できて排水効率を向上することができる。
【図面の簡単な説明】
【図１】本発明の実施の形態の一例の樋エルボを示す正面やや上方から見た斜視図である。
【図２】（ａ）は同上の樋エルボの側断面図であり、（ｂ）は底面図である。
【符号の説明】
１  樋エルボ
２  エルボ本体
３  整流板
４  上流側接続口部
５  下流側接続口部
６  横管部
【図１】
2005016134.tif 000003
【図２】
2005016134.tif 000004